(57)【要約】【課題】  収納状態にある振出式の釣竿から穂先を取り出し易くする。【解決手段】  トップカバー付き釣竿１は、釣竿２とトップカバー３とを備える。釣竿２は、振出形式で連結される複数の竿体２１−２４と、竿体２１−２４の穂先に設けられた釣糸係止具２５を有する。釣糸係止具２５は、磁性体により形成された抜止部を有する。トップカバー３は、複数の竿体２１−２４の穂先側を内部に収容可能なカバー本体部３０と、カバー本体部３０に設けられ釣糸係止具２５の抜止部を磁力によって吸引する永久磁石３３とを有する。【選択図】      図４
2005295926.tif 000002
【特許請求の範囲】
【請求項１】
振出形式で連結される複数の竿体と、前記竿体の穂先に設けられ磁性体により形成された被吸引部とを有する釣竿と、
前記複数の竿体の穂先側を内部に収容可能な本体部と、前記本体部に設けられ前記被吸引部を磁力によって吸引する吸引部とを有するトップカバーと、
を備えるトップカバー付き釣竿。
【請求項２】
前記吸引部は、永久磁石により形成される、
請求項１に記載のトップカバー付き釣竿。
【請求項３】
前記釣竿は、前記竿体の穂先に設けられ前記竿体の穂先に釣糸を係止させるための釣糸係止具をさらに有し、
前記被吸引部は、前記釣糸係止具に設けられる、
請求項１または２に記載のトップカバー付き釣竿。
【請求項４】
前記本体部は、一端が開口し他端が閉塞した有底筒状の形状を有し、
前記吸引部は、前記本体部の底部内面に設けられる、
請求項１から３のいずれかに記載のトップカバー付き釣竿。
【請求項５】
前記被吸引部は、永久磁石により形成される、
請求項１から４のいずれかに記載のトップカバー付き釣竿。
【発明の詳細な説明】
【技術分野】
【０００１】
本発明は、トップカバー付き釣竿に関する。
【背景技術】
【０００２】
振出式の釣竿は、竿元側に配置される筒状の竿体と、その穂先側に順次竿元側の竿体内に収納可能なように連結される筒状の竿体とから構成されている。この種の釣竿は、使用時には順次穂先側に位置する竿体を竿元側の竿体内部から引き出して連結して一本の釣竿として用いられる。そして収納時には、穂先側の竿体を順次竿元側の竿体内部に挿入して収納し、短くコンパクトな状態とする。
【０００３】
一方、このように短くコンパクトな状態に収納した際に竿元側の大径の竿体内に収納した他の竿体が穂先側に飛び出してしまわないように、トップカバーが取り付けられることが多い。トップカバーは、竿元側の大径の竿体の穂先側端部に取り付けられ、大径の竿体内に収納した他の竿体が穂先側に飛び出してしまうのを防止する（特許文献１）。
【特許文献１】特願平１０−１５５３９５号公報
【発明の開示】
【発明が解決しようとする課題】
【０００４】
上記のように釣竿をコンパクトに収納された状態から引き出して一本の釣竿とするためには、収納状態の釣竿から穂先を摘み出す必要がある。しかし、穂先は、極めて細い形状を有することが多く、摘み難いことが多い。また、釣竿が濡れている場合には、界面張力によって竿体が互いに張り付いてしまうため、特に穂先を引き出し難くなる。また、気温が低い時期には、指先がかじかみ、穂先が取り出し難い場合もある。
【０００５】
本発明の課題は、収納状態にある振出式の釣竿から穂先を取り出し易くすることにある。
【課題を解決するための手段】
【０００６】
第１発明に係るトップカバー付き釣竿は、釣竿とトップカバーとを備える。釣竿は、振出形式で連結される複数の竿体と、竿体の穂先に設けられ磁性体により形成された被吸引部とを有する。トップカバーは、複数の竿体の穂先側を内部に収容可能な本体部と、本体部に設けられ被吸引部を磁力によって吸引する吸引部とを有する。
【０００７】
このトップカバー付き釣竿では、釣竿にトップカバーが取り付けられた状態において、トップカバーの吸引部が、釣竿の穂先に設けられた被吸引部を磁力によって吸引する。このため、釣竿からトップカバーを取り外す動作と共に、釣竿の穂先が他の竿体から磁力によって引き出される。釣竿の使用者は、引き出された穂先を容易に摘むことができ、引き続き竿体を引き出して連結して一本の釣竿に組み立てることができる。このように、このトップカバー付き釣竿によれば、収納状態にある振出式の釣竿から穂先を取り出し易くすることができる。
【０００８】
第２発明に係るトップカバー付き釣竿は、第１発明のトップカバー付き釣竿であって、吸引部は、永久磁石により形成される。
【０００９】
このトップカバー付き釣竿では、永久磁石による磁力を利用して釣竿の穂先に設けられた被吸引部を吸引させることができる。従って、トップカバーを簡易な構成とすることができる。
【００１０】
第３発明に係るトップカバー付き釣竿は、第１発明または第２発明のトップカバー付き釣竿であって、釣竿は、竿体の穂先に設けられ竿体の穂先に釣糸を係止させるための釣糸係止具をさらに有する。そして、被吸引部は、釣糸係止具に設けられる。
【００１１】
このトップカバー付き釣竿では、被吸引部として釣糸係止具が利用される。従って、被吸引部として特別の構成が穂先に設けられる場合と比べて、比較的簡易に被吸引部を穂先に設けることができる。
【００１２】
第４発明に係るトップカバー付き釣竿は、第１発明から第３発明のいずれかのトップカバー付き釣竿であって、本体部は、一端が開口し他端が閉塞した有底筒状の形状を有する。そして、吸引部は、本体部の底部内面に設けられる。
【００１３】
このトップカバー付き釣竿では、吸引部は、本体部の底部内面に設けられるため、釣竿にトップカバーが取り付けられた状態において、穂先に設けられた被吸引部と、トップカバーの吸引部とが、釣竿の軸方向に並ぶ。このため、釣竿の軸方向に作用する磁力によって被吸引部が吸引部に吸引され、トップカバーを軸方向に取り外す動作によって穂先を容易に取り出すことができる。
【００１４】
第５発明に係るトップカバー付き釣竿は、第１発明から第４発明のいずれかのトップカバー付き釣竿であって、被吸引部は、永久磁石により形成される。
【００１５】
このトップカバー付き釣竿では、釣竿にトップカバーが取り付けられた状態において、トップカバーの吸引部と、釣竿の穂先に設けられた被吸引部の永久磁石との間に磁力が作用することによって、被吸引部が吸引部に吸引される。このため、釣竿からトップカバーを取り外す動作と共に、釣竿の穂先が竿体から磁力によって引き出される。これにより、このトップカバー付き釣竿によれば、収納状態にある振出式の釣竿から穂先を取り出し易くすることができる。
【発明の効果】
【００１６】
第１発明に係るトップカバー付き釣竿では、釣竿からトップカバーを取り外す動作と共に、釣竿の穂先が他の竿体から磁力によって引き出される。このため、このトップカバー付き釣竿によれば、収納状態にある振出式の釣竿から穂先を取り出し易くすることができる。
【００１７】
第２発明に係るトップカバー付き釣竿では、永久磁石による磁力を利用して釣竿の穂先に設けられた被吸引部を吸引させることができる。従って、トップカバーを簡易な構成とすることができる。
【００１８】
第３発明に係るトップカバー付き釣竿では、被吸引部として釣糸係止具が利用される。従って、被吸引部として特別の構成が穂先に設けられる場合と比べて、比較的簡易に被吸引部を穂先に設けることができる。
【００１９】
第４発明に係るトップカバー付き釣竿では、釣竿の軸方向に作用する磁力によって被吸引部が吸引部に吸引され、トップカバーを軸方向に取り外す動作によって穂先を容易に取り出すことができる。
【００２０】
第５発明に係るトップカバー付き釣竿では、釣竿からトップカバーを取り外す動作と共に、釣竿の穂先が竿体から磁力によって引き出される。これにより、このトップカバー付き釣竿によれば、収納状態にある振出式の釣竿から穂先を取り出し易くすることができる。
【発明を実施するための最良の形態】
【００２１】
［トップカバー付き釣竿１の全体構成］
本発明の一実施形態にかかるトップカバー付き釣竿１を図１に示す。このトップカバー付き釣竿１は釣竿２とトップカバー３とを備えており、収納状態の釣竿２の穂先側にトップカバー３が取り付けられる。
【００２２】
［釣竿２の構成］
釣竿２は、図２に示すように、複数の竿体２１−２４を順次振出形式に連結して構成される、いわゆる振出竿である。即ち、最も竿元側に位置し大径である元竿２１と、その穂先側に順次連結される元上竿２２，穂持ち竿２３，穂先竿２４を備えている。これらの竿体２１−２４は、それぞれ炭素繊維やガラス繊維などの強化繊維に合成樹脂を含浸させてなる先細り筒状体である。各竿体２１−２４の穂先側端部及び竿元側端部はそれぞれ相互に嵌着可能であり、順次竿体２１−２４を引き出した際に嵌着させ固定可能である。なお、元竿２１の竿元側端部には釣り人が把持するためのグリップを設けてもよく、さらに、元竿２１の竿元側端部には底栓２０が脱着自在に装着されている。
【００２３】
穂先竿２４の穂先側端部には、釣糸係止具２５が連結され固定されている。釣糸係止具２５は、図３に示すように、穂先竿２４の穂先側先端に差し込まれて固定される係止具本体部２６と、係止具本体部２６内の穂先側に配置されている円筒部分及びその穂先側に突出して設けられ釣糸Ｌが係止される柱状部分からなる回転体２７と、回転体２７の柱状部分の穂先側先端に取り外し可能に設けられた円盤状の抜止部２８（被吸引部）と、係止具本体部２６内の回転体２７の竿元側に配置される回転ボール２９とを有している。係止具本体部２６は、竿元側が開口し穂先側端面に貫通孔が形成された、チタン，スチール，ステンレスまたはこれらの合金からなる金属製若しくは硬質合成樹脂製の筒状部材である。そして、竿元側部分が穂先竿２４の穂先側先端に挿入されており、接着剤等で接着され固定されている。回転体２７はチタン，ステンレス等の金属製または合成樹脂製部材である。そして、係止具本体部２６の内径にほぼ合致した円盤状部分とこれと連結される柱状部分とからなる。柱状の部分が係止具本体部２６の貫通孔より穂先側に突出した状態で係止具本体部２６内に配置され、この回転体２７は係止具本体部２６内において周方向に回転自在となっている。この回転体２７の竿元側には回転ボール２９も配置されており、回転ボール２９の回転により、さらに回転体２７の回転は円滑なものとなっている。また、係止具本体部２６の孔から穂先側に向かって突出している柱状部分の穂先側端部は、例えば、ねじ山が形成され、雄ねじ部分となっている。そして、抜止部２８は径方向中心にねじ穴が形成された円盤状の部材であり、回転体２７の柱状部分の穂先側端部に螺合して固定されている。この抜止部２８は、磁性体により形成されており、後述するトップカバー３の永久磁石３３によって吸引される。抜止部２８は、防錆性を有しており、例えば、鉄などの磁性体の外周面に防錆性の皮膜を施すことによって形成され、或いは、ＳＵＳ４３０のように磁性を有し且つ耐食性の高い材質により形成される。釣糸係止具２５は、釣竿２の穂先に釣糸Ｌを固定するための部分であり、回転体２７の柱状部分に釣糸Ｌを係止して用いられる。魚が仕掛けにかかって釣糸Ｌが回転すると、釣糸Ｌが金属製柱状部分上で滑って回転し、または回転体２７自体が釣糸Ｌと共に回転し、釣糸Ｌが釣糸係止具２５に絡みつくのが抑えられることになる。  ［トップカバー３の構成］
【００２４】
トップカバー３は、図１に示すように、カバー本体部３０（本体部）と、延伸部３１と、ゴムバンド３２と、永久磁石３３（図４参照）とを有している。
【００２５】
カバー本体部３０は、竿元側端面が開口され穂先側端面が閉塞された有底円筒状の形状を有し、内部に釣竿２の竿体２１−２４の穂先側を収納可能な程度の内径を有する。
【００２６】
延伸部３１は、カバー本体部３０の竿元側開口周縁の一部が竿元側に軸方向に延伸してなる部分である。延伸部３１は、カバー本体部３０の竿元側の開口周縁部分の一部分が竿元側に伸びた状態で連結され、幅方向断面がカバー本体部３０に沿って湾曲する略矩形状部材である。また、この延伸部３１には径外方向に起立する係止突起３４が設けられており、その頭端は拡径するフランジ部分となっている。
【００２７】
ゴムバンド３２は、延伸部３１に配置された延伸部３１に一端が固定され多端が自由となるように周方向に向かって配置された弾性ゴム部材である。多端側には係止孔３５が形成されており、この係止孔３５が延伸部３１の係止突起３４にはめ込まれて脱着自在に係止可能となっている。
【００２８】
永久磁石３３は、図４に示すように、カバー本体部３０の底部内面に設けられており、釣糸係止具２５を磁力によって吸引する。永久磁石３３は、円筒形状を有しており、固定部材３７によってカバー本体部３０の底部に固定されている。固定部材３７は、ゴムやスポンジなどによって形成されており、中空円筒形状を有している。固定部材３７は、中央に設けられた孔に永久磁石３３が挿入されており、永久磁石３３の周面を覆っている。トップカバー３が釣竿２に取り付けられた状態では、永久磁石３３と釣竿２の穂先に設けられた釣糸係止具２５とが釣竿２の軸方向に並んで対向する。
【００２９】
［釣竿２の組立および収納］
このトップカバー付き釣竿１では、以下のようにして組立および収納が行われる。
【００３０】
まず、釣竿２よりトップカバー３を取り外す。このとき、トップカバー３が釣竿２から離れると共に、永久磁石３３の磁力によって穂先の釣糸係止具２５が吸引され、穂先竿２４が他の竿体２１−２３から引き出される。なお、釣糸係止具２５が永久磁石３３に吸着されていない場合には、トップカバー３が釣竿２に取り付けられた状態で、釣竿２を逆さまに、すなわち穂先側が下方を向くようにするとよい。これによって、穂先竿２４を永久磁石３３に吸着させることができる。釣竿２の使用者は、元竿２１より順次穂先側の竿体２２−２４を引き出し、磁力によって引き出された穂先竿２４を穂持ち竿２３の穂先側にさらに引き出す。そして、使用者は、釣糸係止具２５に釣糸Ｌを結び付けて魚釣りを行う。
【００３１】
一方、釣りを終え又は釣り場を代えるために釣竿２を収納する場合には、穂先竿２４を穂持ち竿２３内部に収納し、さらに穂持ち竿２３も竿元側の竿体内へと収納してコンパクトな状態にする。そして、釣竿２の元竿２１にトップカバー３を取り付け固定する。このとき、まず、竿体２２−２４を内部に収納した元竿２１の穂先側端部をトップカバー３のカバー本体部３０内に開口から挿入する。続いて、ゴムバンド３２を元竿２１の外周に回巻して係止孔３５を係止突起３４に係止する。こうして、元竿２１内に収納した他の竿体２２−２４が穂先側に飛び出してしまうのを防止する。また、トップカバー３が竿体２１−２４に取り付けられた状態では、カバー本体部３０の内部で釣竿２の穂先に設けられた釣糸係止具２５と永久磁石３３とが対向しており、釣糸係止具が永久磁石に吸着される。これにより、トップカバー３を再び取り外す際に穂先竿２４を磁力によって他の竿体２１−２３から引き出すことができるように自動的にセッティングされる。
【００３２】
［特徴］
（１）
このトップカバー付き釣竿１では、釣竿２の組立時において、トップカバー３を取り外すことによって穂先竿２４が引き出される。このため、穂先竿２４の引き出しが行い易くなっている。特に、渓流竿等で穂先竿２４の重量の軽い釣竿では穂先竿２４が引き出し難いことが多いため、本発明が有効である。
【００３３】
（２）
このトップカバー付き釣竿１では、磁力によって穂先竿２４を引き出すことができる。従って、トップカバー３を再び釣竿２に取り付ける際に、穂先竿２４の穂先をトップカバー３に再固定するための特別の動作が不要である。
【００３４】
（３）
一般に、穂先を引き出し易くするための構成として、中央に孔が設けられたゴム製部材をトップカバー３の底部内面に設け、この孔に穂先を嵌合させることによって、穂先をトップカバー３に固定することも考えられる。しかし、このように穂先がトップカバー３に固定された場合、トップカバー３を竿体２１−２４から取り外して穂先を引き出す際に穂先が破損する恐れがある。すなわち、穂先は特に細い形状を有することが多いため、トップカバー３を取り外す際に軸方向と交差する方向へと力が過剰に加えられると穂先が折れる可能性が高い。
【００３５】
しかし、このトップカバー付き釣竿１では、トップカバー３の取り外しの際に穂先を引き出す力は、磁力による軸方向への引張り力である。そして、軸方向と交差する方向へと力が加わったとしても、穂先へと過剰な力が加わることなくトップカバー３が竿体２１−２４から容易に離れることができる。このため、このトップカバー付き釣竿１では、トップカバー３を取り外す際に穂先が破損する恐れが低減する。
【００３６】
（４）
従来、穂先を引き出し易くするための構成として、穂先竿２４を他の竿体２１−２３よりも長くすることにより、穂先竿２４が他の竿体２１−２３に収納された状態で、穂先竿２４の穂先を他の竿体２１−２３から突出させることが考えられる。しかし、このような構成は、穂先竿２４を他の竿体２１−２３よりも長くすることが必要であり、釣竿２の設計上の制約となる恐れがある。
【００３７】
しかし、このトップカバー付き釣竿１では、上記のような竿体２１−２４の長さの差異によらずに穂先を引き出し易くすることができる。このため、必ずしも穂先竿２４を他の竿体２１−２３よりも長くする必要はなく、上記のような設計上の制約を緩和することができる。
【００３８】
［他の実施形態］
上記の実施形態では、トップカバー３に永久磁石３３が設けられているが、釣竿２の穂先およびトップカバー３の少なくともいずれかに磁石が設けられればよい。すなわち、トップカバーと、釣竿２の穂先との間で磁力による吸引力が作用するように構成されていればよい。従って、釣竿２の穂先とトップカバー３との両方に磁石が設けられてもよい。また、トップカバー３に磁石ではない磁性体が設けられ、釣竿２の穂先に磁石が設けられてもよい。
【産業上の利用可能性】
【００３９】
本発明は、収納状態にある振出式の釣竿から穂先を取り出し易くすることができる効果を有し、トップカバー付き釣竿として有用である。
【図面の簡単な説明】
【００４０】
【図１】トップカバー付き釣竿の外観斜視図。
【図２】釣竿の外観図。
【図３】穂先の断面図。
【図４】トップカバー付き釣竿の穂先側部分の断面図。
【符号の説明】
【００４１】
１              トップカバー付き釣竿
２              釣竿
３              トップカバー
２１−２４      竿体
２５            釣糸係止具
２８            抜止部（被吸引部）
３０            カバー本体部（本体部）
３３            永久磁石（吸引部）
【図１】
2005295926.tif 000003
【図２】
2005295926.tif 000004
【図３】
2005295926.tif 000005
【図４】
2005295926.tif 000006
【手続補正書】
【提出日】平成16年4月15日(2004.4.15)
【手続補正１】
【補正対象書類名】明細書
【補正対象項目名】００２３
【補正方法】変更
【補正の内容】
【００２３】
穂先竿２４の穂先側端部には、釣糸係止具２５が連結され固定されている。釣糸係止具２５は、図３に示すように、穂先竿２４の穂先側先端に差し込まれて固定される係止具本体部２６と、係止具本体部２６内の穂先側に配置されている円筒部分及びその穂先側に突出して設けられ釣糸Ｌが係止される柱状部分からなる回転体２７と、回転体２７の柱状部分の穂先側先端に取り外し可能に設けられた円盤状の抜止部２８（被吸引部）と、係止具本体部２６内の回転体２７の竿元側に配置される回転ボール２９とを有している。係止具本体部２６は、竿元側が開口し穂先側端面に貫通孔が形成された、チタン，スチール，ステンレスまたはこれらの合金からなる金属製若しくは硬質合成樹脂製の筒状部材である。そして、竿元側部分が穂先竿２４の穂先側先端に挿入されており、接着剤等で接着され固定されている。回転体２７はチタン，ステンレス等の金属製または合成樹脂製部材である。そして、係止具本体部２６の内径にほぼ合致した円盤状部分とこれと連結される柱状部分とからなる。柱状の部分が係止具本体部２６の貫通孔より穂先側に突出した状態で係止具本体部２６内に配置され、この回転体２７は係止具本体部２６内において周方向に回転自在となっている。この回転体２７の竿元側には回転ボール２９も配置されており、回転ボール２９の回転により、さらに回転体２７の回転は円滑なものとなっている。また、係止具本体部２６の孔から穂先側に向かって突出している柱状部分の穂先側端部は、例えば、ねじ山が形成され、雄ねじ部分となっている。そして、抜止部２８は径方向中心にねじ穴が形成された円盤状の部材であり、回転体２７の柱状部分の穂先側端部に螺合して固定されている。この抜止部２８は、磁性体により形成されており、後述するトップカバー３の永久磁石３３によって吸引される。抜止部２８は、防錆性を有しており、例えば、鉄などの磁性体の外周面に防錆性の皮膜を施すことによって形成され、或いは、ＳＵＳ４３０のように磁性を有し且つ耐食性の高い材質により形成される。釣糸係止具２５は、釣竿２の穂先に釣糸Ｌを固定するための部分であり、回転体２７の柱状部分に釣糸Ｌを係止して用いられる。魚が仕掛けにかかって釣糸Ｌが回転すると、釣糸Ｌが金属製柱状部分上で滑って回転し、または回転体２７自体が釣糸Ｌと共に回転し、釣糸Ｌが釣糸係止具２５に絡みつくのが抑えられることになる。
【手続補正２】
【補正対象書類名】明細書
【補正対象項目名】００２４
【補正方法】変更
【補正の内容】
【００２４】
［トップカバー３の構成］
トップカバー３は、図１に示すように、カバー本体部３０（本体部）と、延伸部３１と、ゴムバンド３２と、永久磁石３３（図４参照）とを有している。